(57)【要約】【課題】  隔壁の形状が延び方向一方側から他方側に向かうに従って径方向外方に拡大している場合において、その型隔壁を簡単に取付けることができる魚道構成用ブロックを提供する。【解決手段】底壁部４３の底面８に、越流型隔壁３の下部を収納できる凹所６０が形成されていて、その凹所６０内に、隔壁３を配置すると共に、モルタルを充填してモルタル充填層６７を形成することにより、隔壁３の側面下部とモルタル充填層６７との係合関係を得る。【選択図】        図７
2005290789.tif 000002
【特許請求の範囲】
【請求項１】
底壁部を有し、前記底壁部が、延び形状とされその下面より上方部分の形状がその延び方向一方側から他方側に向かうに従って径方向外方に拡大されている越流型隔壁の取付け部材として機能することになる魚道構成用ブロックにおいて、
前記底壁部の底面に、前記越流型隔壁の下部を収納するための隔壁下部用凹所が形成されている、
ことを特徴とする魚道構成用ブロック。
【請求項２】
請求項１において、
前記隔壁下部用凹所が、前記底壁部の河川水流入側端部に形成される第１凹所と、該底壁部の河川水流出側端部に形成される第２凹所とに分けられ、
前記第１，第２凹所が、前記隔壁下部用凹所の略半分の大きさとされて前記底壁部端面からも外部に開口されている、
ことを特徴とする魚道構成用ブロック。
【請求項３】
請求項１において、
前記底壁部の河川水流入側端部に、位置決め用凹所若しくは該凹所に嵌合可能な位置決め用突部のいずれかが形成され、
前記底壁部の河川水流出側端部に、位置決め用凹所若しくは該凹所に嵌合可能な位置決め用突部のいずれかが形成されている、
ことを特徴とする魚道構成用ブロック。
【請求項４】
請求項１において、
前記底壁部における河川水流入側端部の端面に、該底壁部の厚み方向一方側において、第１突出部が該底壁部よりも薄い厚みをもって設けられ、
前記底壁部における河川水流出側端部の端面に、該底壁部の厚み方向他方側において、第２突出部が該底壁部よりも薄い厚みをもって設けられている、
ことを特徴とする魚道構成用ブロック。
【請求項５】
請求項１において、
前記底壁部内に、河川水流入側端部及び河川水流出端部において、隣り合う魚道用ブロックを連結するための複数の連結ユニットが外部から作業可能に埋め込まれている、
ことを特徴とする魚道構成用ブロック。
【請求項６】
請求項１において、
前記底壁部の幅方向両側に一対の側壁部が設けられ、
前記各側壁部内面に、前記隔壁下部用凹所に対応して、隔壁端部用凹所が形成されている、
ことを特徴とする魚道構成用ブロック。
【請求項７】
請求項６において、
前記隔壁端部用凹所が、前記側壁部の河川水流入側端部に形成される第１隔壁端部用凹所と、該側壁部の河川水流出側端部に形成される第２隔壁端部用凹所とに分けられ、
前記第１，第２隔壁端部用凹所が、前記隔壁端部用凹所の略半分の大きさとされて前記側壁部端面からも外部に開口されている、
ことを特徴とする魚道構成用ブロック。
【請求項８】
請求項１において、
前記底壁部の幅方向両側に一対の側壁部が設けられ、
前記一対の側壁部のうち、前記越流型隔壁の延び方向他方側が位置することになる側の側壁部に、その上端部内面側において、該越流型隔壁の延び方向他方側に続くようにして案内路が形成されている、
ことを特徴とする魚道構成用ブロック。
【請求項９】
請求項１において、
前記底壁部の幅方向両側に一対の側壁部が設けられ、
前記一対の側壁部の上端面間に遮蔽部材が設けられている、
ことを特徴とする魚道構成用ブロック。
【請求項１０】
請求項９において、
前記遮蔽部材が金網により構成されている、
ことを特徴とする魚道構成用ブロック。
【発明の詳細な説明】
【技術分野】
【０００１】
本発明は、魚道を形成するために用いられる魚道構成用ブロックに関する。
【背景技術】
【０００２】
近時、「魚が登りやすい川づくり」が施策として推進されており、この推進の動きを受けて種々の魚道が提案されている。例えば特許文献１には、魚道構成用ブロック（水路構成用ブロック）をつないで水路を形成する一方、その水路内に魚道構成用の越流型隔壁を一定間隔毎に配置したものが示されている。しかし、この特許文献１に係る越流型隔壁は、細幅とされて、そのもの自体の載置安定性がよくなく、その問題点を解消すべく、その越流型隔壁を魚道構成用ブロック間に水路を横断するようにして挟み込むこととされている。
【０００３】
そこで、本発明者は、このような特許文献１の事情に鑑み、魚道構成用越流型隔壁として、下面が平坦面に形成され、その下面よりも上方部分が、延び方向一方側から他方側に向かうに従って、径方向外方に拡大するように設定したものを既に提案している。この魚道構成用越流型隔壁によれば、延び方向一方側から他方側に向かうに従って下面の面積が増大することになり、そのもの自体の載置安定性が増すことになる。
【０００４】
【特許文献１】特開平１１−３１５５２８号公報
【発明の開示】
【発明が解決しようとする課題】
【０００５】
しかし、上記魚道構成用越流型隔壁においては、載置安定性が増すものの、その延び方向一方側から他方側に向かうに従って径方向外方に拡大し、そのもの全体が三次元的に拡大することになり、魚道構成用越流型隔壁は複雑な形状をもって大型化することになる。このため、この複雑な形状をもって大型化する魚道構成用越流型隔壁をいかに魚道構成用ブロックに取付けるかが問題となる。
【０００６】
本発明は以上のような事情に鑑みてなされたもので、その技術的課題は、越流型隔壁の形状が延び方向一方側から他方側に向かうに従って径方向外方に拡大している場合において、その越流型隔壁を簡単に取付けることができる魚道構成用ブロックを提供することにある。  
【課題を解決するための手段】
【０００７】
前記技術的課題を達成するために本発明（請求項１に係る発明）にあっては、
底壁部を有し、前記底壁部が、延び形状とされその下面より上方部分の形状がその延び方向一方側から他方側に向かうに従って径方向外方に拡大されている越流型隔壁の取付け部材として機能することになる魚道構成用ブロックにおいて、
前記底壁部の底面に、前記越流型隔壁の下部を収納するための隔壁下部用凹所が形成されている構成としてある。この請求項１の好ましい態様としては請求項２〜１０の記載の通りとなる。
【発明の効果】
【０００８】
請求項１に記載された発明によれば、底壁部の底面に、越流型隔壁の下部を収納するための隔壁下部用凹所が形成されていることから、その隔壁下部用凹所内に越流型隔壁の下部を収納すると共に硬化物質を充填することにより、越流型隔壁の側面下部の形状（上方に向かうに従って幅方向内方側に向かう形状）と、十分な厚みの硬化物質を充填できることとに基づき、その越流型隔壁の側面下部と硬化後の硬化物質層とを簡単に係合させることができることになる。このため、越流型隔壁を簡単に取付けることができる魚道構成用ブロックを提供できることになる。
【０００９】
請求項２に記載された発明によれば、隔壁下部用凹所が、前記底壁部の河川水流入側端部に形成される第１凹所と、該底壁部の河川水流出側端部に形成される第２凹所とに分けられ、第１，第２凹所が、隔壁下部用凹所の略半分の大きさとされて底壁部端面からも外部に開口されていることから、河川水流入側端部に対して別の魚道構成用ブロックにおける底壁部の流出側端部をつなげたとき、河川水流出側端部に対して別の魚道構成用ブロックにおける底壁部の流入側端部をつなげたときには、隔壁下部用凹所がそれぞれ形成されることになり、その協働して形成される隔壁下部用凹所内に越流型隔壁の下部を収納できることになる。このため、この場合にも、硬化物質をその隔壁下部用凹所に充填すれば、越流型隔壁を、隣り合う両底壁部に一体化できることになり、越流型隔壁を魚道構成用ブロックに簡単に取付けることができることになる。
しかもこの場合、越流型隔壁が、隣り合う底壁部の合わせ面を覆うことになり、硬化物質を用いて越流型隔壁を取付けるだけで、合わせ面の止水処理も終えることになり、作業の効率化を図ることができることになる。
【００１０】
請求項３に記載された発明によれば、底壁部の河川水流入側端部に、位置決め用凹所若しくは該凹所に嵌合可能な位置決め用突部のいずれかが形成され、底壁部の河川水流出側端部に、位置決め用凹所若しくは該凹所に嵌合可能な位置決め用突部のいずれかが形成されていることから、河川水流入側端部、河川水流出側端部における位置決め用凹所若しくは位置決め用突部に対して別の魚道構成用ブロックの位置決め用突部若しくは位置決め用凹所を嵌合することにより、底壁部の幅方向の位置決めが行われることになり、魚道構成用ブロックを整然とつなげることができることになる。
【００１１】
請求項４に記載された発明によれば、底壁部における河川水流入側端部の端面に、該底壁部の厚み方向一方側において、第１突出部が該底壁部よりも薄い厚みをもって設けられ、底壁部における河川水流出側端部の端面に、該底壁部の厚み方向他方側において、第２突出部が該底壁部よりも薄い厚みをもって設けられていることから、当該魚道構成用ブロックの第１突出部に別の魚道構成用ブロックにおける第２突出部を重ねるようにすれば、底壁部が連続的に連なる一方、合わせ面を底壁部の厚み方向においてジグザグ状にして止水性を高めることができることになる。
同様に、当該魚道構成用ブロックの第２突出部に別の魚道構成用ブロックにおける第１突出部を重ねるようにすれば、底壁部が連続的に連なる一方、合わせ面をジグザグ状にして止水性を高めることができることになる。
【００１２】
請求項５に記載された発明によれば、底壁部内に、河川水流入側端部及び河川水流出端部において、隣り合う魚道用ブロックを連結するための複数の連結ユニットが外部から作業可能に埋め込まれていることから、魚道用ブロックを順次、連結していくことができることになる。
【００１３】
請求項６に記載された発明によれば、底壁部の幅方向両側に一対の側壁部が設けられ、各側壁部内面に、隔壁下部用凹所に対応して、隔壁端部用凹所が形成されていることから、その隔壁端部用凹所に越流型隔壁端部を入り込ませた状態で十分な厚みの硬化物質を充填できることになり、その越流型隔壁の端部と硬化後の硬化物質層とを簡単に係合させることができることになる。このため、越流型隔壁の端部も簡単に側壁部に取付けることができることになる。
【００１４】
請求項７に記載された発明によれば、隔壁端部用凹所が、前記側壁部の河川水流入側端部に形成される第１隔壁端部用凹所と、該側壁部の河川水流出側端部に形成される第２隔壁端部用凹所とに分けられ、第１，第２隔壁端部用凹所が、前記隔壁端部用凹所の略半分の大きさとされて側壁部端面からも外部に開口されていることから、河川水流入側端部に対して別の魚道構成用ブロックにおける底壁部の流出端部をつなげたとき、河川水流出側端部に対して別の魚道構成用ブロックにおける底壁部の流入端部をつなげたときにおいて、隔壁端部用凹所がそれぞれ形成されることになり、その協働して形成される隔壁端部用凹所内に越流型隔壁の端部を収納できることになる。このため、この場合にも、硬化物質をその隔壁端部用凹所に充填すれば、越流型隔壁を、隣り合う両側壁部に一体化できることになり、越流型隔壁を魚道構成用ブロックに一層強固に取付けることができることになる。
しかもこの場合、隣り合う隔壁端部用凹所が硬化物質の十分な充填空間を確保することになり、その隔壁端部用凹所内に充填される硬化物質により、隣り合う側壁部の合わせ面を覆って、止水処理を確実なものとすることができることになる。
【００１５】
請求項８に記載された発明によれば、底壁部の幅方向両側に一対の側壁部が設けられ、一対の側壁部のうち、越流型隔壁の延び方向他方側が位置することになる側の側壁部に、その上端部内面側において、該越流型隔壁の延び方向他方側に続くようにして案内路が形成されていることから、昆虫等の小動物が当該魚道用ブロック内から外部に出ることができることになる。
【００１６】
請求項９に記載された発明によれば、底壁部の幅方向両側に一対の側壁部が設けられ、一対の側壁部の上端面間に遮蔽部材が設けられていることから、越流型隔壁付近の魚を鳥類等から保護できることになる。
【００１７】
請求項１０に記載された発明によれば、遮蔽部材が金網により構成されていることから、魚の保護だけでなく、太陽光を当該魚道ブロック内に透過させることができることになる。
【発明を実施するための最良の形態】
【００１８】
以下、本発明の実施形態について図面に基づいて説明する。
第１実施形態を示す図１、図２において、符号１は魚道で、魚道１は、水路２内（底面７上）に越流型隔壁（以下、隔壁と称す）３を該水路２の延び方向（水の流れ方向：図２中、左右方向）に間隔をあけて配置する構成とされている。
【００１９】
前記水路２は、一定幅の下で１：１０〜１６程度の勾配をもって該水路２の延び方向に延びる底壁４と、その底壁４の幅方向両側から起立して該水路２の延び方向に延びる一対の側壁５とを有している。この水路２は、コンクリート製魚道構成用ブロック４１を複数連結することにより構成されており、この複数の魚道構成用ブロック４１により形成される水路２内を河川水が、各隔壁３の案内によって蛇行しながら、図２中、左側から右側へと流れることになっている。
【００２０】
前記各魚道構成用ブロック４１は、図２、図３に示すように、前記水路２における底壁４の一部を構成するための底壁部４２と、該水路２における左右一対の側壁５の一部を構成するための左右一対の側壁部４３とを有している。この魚道構成用ブロック４１の底壁部４２の底面８には、水の流入側端部４４ａ上面において、凹所４５ａが形成され、その流出側端部４４ｂ上面には凹所４５ｂが形成されている。この各凹所４５ａ（４５ｂ）は、一定の深さ（例えば１０ｃｍ前後）の下で、魚道構成用ブロック４１における河川水の流れ方向（図２中、左右方向）に一定幅（例えば１ｍ〜５ｍ程度）をもって、底壁部４２の幅方向全長に亘って形成されており、そのいずれの凹所４５ａ（４５ｂ）も、底壁部４２の上面からだけでなく端面からも外部に開放されている。この流入側端部４４ａにおける凹４５ａと流出側端部４４ｂにおける凹所４５ｂとは、河川水の流れ方向において、一定距離だけ離間されているが（本実施形態においては、１ｍ〜３ｍ程度）、この距離に関しては、長さを異ならせた魚道構成用ブロック４１を複数種類用意し、必要に応じて適宜選択できることになっている。
【００２１】
前記魚道構成用ブロック４１における左右一対の側壁部４３の内面には、図２，図３に示すように、側壁部４３における流入側端部６１ａ及び流出側端部６１ｂにおいて、凹所６２ａ，６２ｂが形成されている。この凹所６２ａ（６２ｂ）は、前記底壁部４３における凹所４５ａ（４５ｂ）の配置位置に対応して、側壁部４３に、その側壁部４３の上下方向全長に亘って形成されており、その凹所６２ａ（６２ｂ）の下部における幅（水の流れ方向における長さ）は、前記凹所４５ａ（４５ｂ）と等しくなっている。このため、凹所６２ａ（６２ｂ）と凹所４５ａ（４５ｂ）とは、連続して連なることになっている。本実施形態においては、この凹所６２ａ（６２ｂ）は、その上部側における幅が下部側における幅よりも長くなっていて、この側壁部４３において、凹所６２ａ（６２ｂ）内面（底面）とその凹所６２ａ（６２ｂ）以外の側壁部４３内面との間の段差面６３は、上方に向かうに従って内方側に傾くことになっている。
【００２２】
前記魚道構成用ブロック４１における底壁部４２の流入側端部４４ａ、流出側端部４４ｂ、側壁部４３における流入側端部６１ａ、流出側端部６１ｂには、別の魚道構成用ブロック４１を該魚道構成用ブロック４１に連結可能とすべく、図３に示すように、連結ユニット４６が埋め込まれている（図３においては、流出側端部４４ｂ、６１ｂにおける連結ユニットは図示略）。各連結ユニット４６は、魚道構成用ブロック４１の流入側端部４４ａ（６１ａ）に設けられるものと、流出側端部４４ｂ（６１ｂ）に設けられるものとでは、対応した配置関係となっており、その各対応する連結ユニット４６同士が、隣り合うことになる魚道構成用ブロック４１同士を連結することになっている。
【００２３】
前記各連結ユニット４６は、図４、図５に示すように、連結箱４７と、その連結箱４７に収納される留め具４８とからなっている。連結箱４７は、小箱部４９と大箱部５０とを一体的に連結した構造とされており、その大箱部５０及び小箱部４９は、その下側が底板部５１により閉塞されている一方、その上側が外部に開口されている構造となっている。しかも、大箱部５０と小箱部４９との境には、小箱部４９の幅よりも拡張された隔壁部５３が設けられ、小箱部４９の端部には端壁部５４が設けられることになっている。その隔壁部５３には挿通孔５５、端壁部５４には挿通孔５６が形成され、それら挿通孔５５、５６は、対向した状態で配置されている。さらに、連結箱４７には、魚道構成用ブロック４１との係合により連結ユニット４６の移動を規制するための複数の鉄筋５９が設けられており、その各鉄筋５９は、連結箱４７にその連結箱４７を横切るように貫通されている。このような連結箱４７は、その上部開口５２が外部に開放されるようにした状態で、底壁部（凹所４５ａ，４５ｂの底面部内）４２、側壁部４３においてそれぞれ埋め込まれ、このとき、各連結箱４７における小箱部４９の端壁部５４は、水路構成用ブロックにおける底壁部４２の端面から外方に露出することになっている。このような連結箱４７の埋め込みは、魚道構成用ブロック４１を型において制作する際して、その型内にセットすることにより行われる。
【００２４】
前記留め具４８としては、本実施形態においては、長尺のねじ棒５７とナット５８とが用いられている。ねじ棒５７は、連結箱４７における大箱部５０内にその上部開口５２を介して収納でき、そのねじ棒５７を連結箱４７の挿通孔５５，５６に対して貫通させることができることになっている。ナット５８は、ねじ棒５７に対して螺合できることになっており、この螺合作業は、上部開口５２から大箱部５０内に工具又手を入れて行うことができることになっている。このため、この魚道構成用ブロック４１に対して別の魚道構成用ブロック４１を連結するには、その両魚道構成用ブロック４１の端面同士をつきあわせ、その状態において、一方の魚道構成用ブロック４１における大箱部５０内にねじ棒５７を収納し、そのねじ棒５７を、両魚道構成用ブロック４１における連結ユニット４６の挿通孔５５，５６に貫通させ、そのねじ棒５７の両端部にナット５８を、該各ナット５８が各隔壁部５３に当接するまで螺合する。勿論このような連結作業は、順次行われ、これにより、水路２が構成されることになる。
【００２５】
前記魚道構成用ブロック４１における流入側端部４４ａの凹所４５ａは、図６、図７に示すように、該魚道構成用ブロック４１に別の魚道構成用ブロック４１が連結されたとき、その隣り合う別の魚道構成用ブロック４１における流出側端部４４ｂの凹所４５ｂと協働して隔壁下部用凹所６０を形成することになり、魚道構成用ブロック４１の流出側端部４４ｂにおける凹所４５ｂは、それに隣り合う別の魚道構成用ブロック４１における流入側端部４４ａの凹所４５ａと協働して隔壁下部用凹所６０を形成することになる。これに伴い、魚道構成用ブロック４１における流入側端部６１ａの凹所６２ａと、それに隣り合う別の魚道構成用ブロック４１における流出側端部６１ｂの凹所６２ｂとは、協働して隔壁端部用凹所６４を形成することになり、該魚道構成用ブロック４１における流出側端部６１ｂの凹所６２ｂと、それに隣り合う別の魚道構成用ブロック４１における流入側端部６１ａの凹所６２ａとは、協働して隔壁端部用凹所６４を形成することになる。
【００２６】
前記各隔壁３は、図２、図６、図７に示すように、前記複数の魚道構成用ブロック４１によって順次、形成される凹所６０内に配置されている。各隔壁３は、その下面９が、凹所６０の底面６０ａに当接（設置）すべき面として、延び方向全長に亘って平坦面に形成され、その下面９よりも上方部分は、略ハーフコーン形状（円錐形を半分にした形状）に形成されており、各隔壁３は、その下部が各凹所６０内に入り込んで、隣り合う魚道構成用ブロック４１の端面同士の合わせ面６８を覆うことになっている。本実施形態においては、この隔壁３の略ハーフコーン形状として、隔壁３の延び方向（図２中、上下方向）において、略半円柱部１１と略半円錐部１２とが連続的に形成される態様が採られている。
【００２７】
前記略半円柱部１１は、図６に示すように、その頂部１１ａの外縁が、略半円柱部１１の延び方向全体に亘って、設置時に河床面と同一高さとなる仮想面上の点Ｏ１を中心として半径Ｒ１（例えば魚が登りやすい最小半径、最小水位を確保する点等を考慮し、３００ｍｍ前後に設定）の円弧をもって形成され、その円弧状の頂部１１ａの幅方向（図６中、左右方向）一方側には一方側（上流側又は下流側）側面２７が連なり、その円弧状の上部１１ａの幅方向他方側には他方側（上流側又は下流側）側面２８が連なっている。一方側側面２７は、下方側に向かうに従って隔壁３の幅方向一方側外方（図６中、左側）に向かって傾斜され、他方側側面２８は、下方側に向かうに従って隔壁３の幅方向他方側外方（図６中、右側）に向かって傾斜されており、本実施形態においては、両側面２７，２８は対称に配置されている。このため、略半円柱部１１の下面９の幅方向長さＤ１はＲ１の２倍の長さよりも多少長く、例えばＤ１＝６００〜７２０ｍｍ前後とされている。このような略半円柱部１１は、一定高さＨ１（３００〜４００ｍｍ前後）に維持しつつ一定長さＢ１（３００〜５００ｍｍ前後：図２参照）だけ延びることになっており、その略半円柱部１１のうち、下面９から一定厚みＨ２（例えば１０ｃｍ前後）の部分が前記凹所６０内に収納されている。
【００２８】
前記略半円錐部１２は、隔壁３の延び方向において、該延び方向の一方側である略半円柱部１１側から遠のく側である他方側に向かうに従って徐々に、径方向外方に拡大するように設定されている。具体的には、略半円錐部１２は、その頂部１２ａが、略半円錐部１２の延び方向全体に亘って円弧状に形成されており、その円弧形状は、前記略半円柱部１１の半径Ｒ１と同じ半径をもって形成されている。円弧状の頂部１２aは、隔壁３の延び方向一方側から他方側に向かうに従って高さが高くなっており、その円弧状の頂部１２ａの幅方向（図７中、左右方向）一方側には一方側（上流側又は下流側）側面２９が連なり、その円弧状の頂部１２ａの幅方向他方側には他方側（上流側又は下流側）側面３０が連なっている。一方側側面２９は、下方側に向かうに従って隔壁３の幅方向一方側外方（図７中、左側）に向かって傾斜され、その一方側側面２９は、隔壁３の延び方向一方側から他方側に向かうに従って隔壁３の幅方向一方側外方に多少拡がることになっている。同様に、他方側側面３０は、下方側に向かうに従って隔壁３の幅方向他方側外方（図７中、右側）に向かって傾斜され、その他方側側面３０は、隔壁３の延び方向一方側から他方側に向かうに従って該隔壁３の幅方向他方側外方に多少拡がることになっている。勿論、このような隔壁３は、隔壁３の延び方向一方側から他方側に向かうに従って径方向外方に略全体的に円弧状に拡径されるものに比べてコンパクトとなり、技術的に有利となるが、隔壁３として、隔壁３の延び方向一方側から他方側に向かうに従って径方向外方に略全体的に円弧状に拡径されるものを用いてもよいことは言うまでもない。
【００２９】
前記隔壁３は、図６、図７に示すように、その大部分がコンクリート（硬化したもの）６５をもって形成されているが、その表面部には、耐摩耗性被覆層６６が形成されている。この耐摩耗性被覆層６６は、転石、砂礫等により隔壁３が摩耗することを抑制することを目的として設けられているものであり、この耐摩耗性被覆層６６としては、高強度モルタル、樹脂皮膜、金属素材、タイル、石材等が、適宜、用いられる。
【００３０】
前記隣り合う魚道構成用ブロック４１が形成する凹所６０内には、図２、図６、図７に示すように、モルタルが充填されてモルタル充填層６７（硬化物質層）が設けられている。このモルタル充填層６７は、凹所６０内面及び隔壁３下部に対して接着していると共に、隔壁３における略半円柱部１１の側面下部１１ｂ及び略半円錐部１２の側面下部１２ｂを覆って、それら略半円柱部１１の側面下部１１ｂ及び略半円錐部１２の側面下部１２ｂと係合することになっている。これにより、モルタル充填層６７は、凹所６０内面及び隔壁３下部に対する接着に基づき、隔壁３を底壁部４２に対して一体化すると共に、隔壁３と凹所６０内面との間の止水性を確保することになり、また、略半円柱部１１の側面下部１１ｂ及び略半円錐部１２の側面下部１２ｂとの係合に基づき、隔壁３の上方への移動をも規制して、隔壁３と底壁部４２との一体化をさらに強固なものとすることになっている。勿論この場合、モルタル充填層６７の上面は、凹所６０以外の底壁部４２の底面と面一になるように形成されている。
【００３１】
さらに本実施形態においては、隔壁３の延び方向長さが前記一対の側壁部４３内面間の長さよりも若干、長く設定されて、前記凹所６０内に隔壁３を配置するに伴い、その延び方向端部が各側壁部４３の凹所６４内に入り込んでいる。この凹所６４内には、図２に示すように、モルタルが充填されてモルタル充填層６９が形成されており、このモルタル充填層６９は、隣り合う魚道構成用ブロック４１の側壁部４３間の合わせ面６８に対して止水性を確保すると共に、隔壁３の延び方向端部を係合保持することになっている。勿論この場合、モルタル充填層６９の表面は、隔壁３の延び方向端部の存在域を除き、側壁部４３（側壁５）における他の内面と面一に形成されている。
【００３２】
このように隔壁３が水路２（魚道構成用ブロック４１を連結したもの）内に設置されて、図１，図２に示すように配置されると、隔壁３の傾斜面（頂部１２ａの傾斜（図３参照））に基づき、水は、越流しながら上流側から下流側に蛇行しながら流れることになる（水の流れを図２中、矢印で示す）。これに伴い、魚ｆは、魚の動きを示す符号ｆｓからも明らかなように、流れに抗して、下流側から上流側に登ることになる（図１参照）。このとき、隔壁３においては、延び方向において、その傾斜に基づき越流水の速度が異なり、泳力の弱い魚であっても、上流に向けて登ることができることになる。また、水路２においては、隔壁３により流れの影響を受けない淀み部（図２の流れを示す矢印を参照）が形成されており、その淀み部において魚ｆは休むことができることになる。
尚、この隔壁３の設置においては、略半円柱部１１の頂部１１ａから水面までの深さが２０ｃｍ〜３０ｃｍ程度に設定されることになっており、このため、隣り合う隔壁３間の間隔等が適宜調整される。
【００３３】
また、このような魚道構成用ブロック４１を用いることにより、隣り合うこととなる魚道構成用ブロック４１との間で凹所６０を形成することになり、その凹所６０の存在を水路２内において視覚を通じて認識することができることになる。このため、隔壁３の配置位置を容易に把握できることになり、隔壁３が適正配置された魚道を形成できることになる。
【００３４】
さらに、モルタルを充填すべき個所が凹所６０であることから、モルタルを充填しやすくしてモルタル充填層６７を容易に形成できるばかりか、隔壁３の側面下部が凹所６０内に入ることになり、モルタル充填層６７と隔壁３との係合関係を簡単に得ることができることになる。特に本実施形態においては、一方側側面２９が、下方側に向かうに従って隔壁３の幅方向一方側外方に向かって傾斜され、他方側側面３０が、下方側に向かうに従って隔壁３の幅方向他方側外方（図６中、左側）に向かって傾斜されており、これらとモルタル充填層６７との係合により、水の流れ方向（略水平方向）だけでなく、上方にも移動することが規制されることになる。
しかもこのとき、隣り合う魚道構成用ブロック４１の合わせ面６８を隔壁３の下面９が覆うことになり、隔壁３の固定作業（モルタル充填作業）をもって上記合わせ面６８の止水作業をも終えることができることになる。
【００３５】
さらに、隣り合う魚道構成用ブロック４１間に、側壁部４３において凹所６４を形成してモルタルを充填し易くしていることから、その凹所６４内に一定厚のモルタル充填層６９を簡単に形成して、そのモルタル充填層６９をもって確実に、側壁部４３間の合わせ面６８から水が漏れることを防止できることになる。しかもこの場合、モルタル充填層６９は、凹所６４内の段差面６３と係合する一方で、隔壁３の延び方向端部とも係合することになり、その隔壁３の延び方向両端部は、水路２の側壁５に移動不能となるように強固に保持されることになる。
【００３６】
図８は第２実施形態、図９は第３実施形態、図１０は第４実施形態、図１１は第５実施形態、図１２は第６実施形態、図１３は第７実施形態、図１４は第８実施形態、図１５は第９実施形態を示す。この各実施形態において、前記第１実施形態と同一構成要素については同一付してその説明を省略する。
【００３７】
図８に示す第２実施形態は、第１実施形態に係る魚道構成用ブロック４１を用いて形成された水路２において、その一対の側壁５上端間に金網７０を跨らせるようにしたものを示している。この金網７０は、隣り合う隔壁３間上方、各隔壁３の上方等、適宜の位置に設けられて、魚を鳥類から保護しようとしたもので、その際、金網７０には、網目があることから、太陽光を透過させて金網７０の下側に導くことができることになっている。
【００３８】
図９に示す第３実施形態は、第２実施形態の変形例を示す。この第３実施形態においては、２枚の鋼板７１が一対の側壁部４３の上端間に跨るように設けられ、その２枚の鋼板７１間には、太陽光を取り込むと共に、水路２内の様子を見ることができるように隙間があけられている。
尚、この第３実施形態においては、魚道構成用ユニットとして、隔壁３を魚道構成用ブロック４１の内方側に配置したものが使用されている。
【００３９】
図１０に示す第４実施形態においては、魚道構成用ブロック４１における側壁部４３の上端部に、隔壁３における略半円錐部１２の最大径部が位置する側において、案内路として傾斜面７２が形成されている。この傾斜面７２は、魚道構成用ブロック４１の幅方向内方側に向かうに従って下側に向かうように傾斜されており、この傾斜面７２の下部と略半円錐部１２の頂部１２ａとは極めて近い距離となっている。これにより、昆虫等の小動物が、隔壁３における略半円柱部１１，略半円錐部１２を経て傾斜面７２に至り、その傾斜面７２から魚道構成用ブロック４１外に出ることができることになっている。
【００４０】
図１１に示す第５実施形態は、第４実施形態の変形例を示す。この第５実施形態においては、前記第４実施形態に係る傾斜面７２に換えて、案内路として階段７３が側壁部４３の上端部に形成されている。
【００４１】
図１２に示す第６実施形態は、前記第４，第５実施形態の変形例を示す。この第６実施形態においては、魚道構成用ブロック４１における側壁部４３上端部に、隔壁３における略半円錐部１２の最大径部が位置する側において、案内路として一対の傾斜面７４ａ，７４ｂが形成されている。この一対の傾斜面７４ａ，７４ｂは、側壁部４３の上端部内側を切り欠くことにより、魚道構成用ブロック４１の延び方向に並ぶように設けられており、その各傾斜面７４ａ，７４ｂは、互いが近づくに従って下方に向かうように傾斜し、その両者７４ａ，７４ｂは、最下部でつながることになっている。そして、この両傾斜面７４ａ，７４ｂの最下部と略半円錐部１２の頂部１２ａとは極めて近い距離となっている。これにより、昆虫等の小動物が、隔壁３における略半円柱部１１，略半円錐部１２を経て傾斜面７４ａ，７４ｂに至り、その傾斜面７４ａ，７４ｂのいずれかから魚道構成用ブロック４１外に出ることができることになっている。
【００４２】
図１３に示す第７実施形態は、第６実施形態の変形例を示す。この第７実施形態においては、前記第６実施形態に係る傾斜面７４ａ，７４ｂに換えて、案内路として階段７５ａ，７５ｂが側壁部４３の上端部に形成されている。
【００４３】
図１４に示す第８実施形態においては、水路２を構成するに際して、２種類の異なる魚道構成用ユニット７６、７７が用いられることになっている。魚道構成用ユニット７６は、底壁部７６ａと一対の側壁部４３とを有する魚道構成用ブロック（水路構成用ブロック）と、隔壁３とを備えている。魚道構成用ブロックの底壁部７６ａは、前記各実施形態同様、一定幅を維持しつつ一定長さだけ延び、その底壁部７６ａには、その延び方向の略中央部において、隔壁ブロック下部用凹所６０が形成され、底壁部７６ａの延び方向両端部には、位置決め用凹所７８がそれぞれ形成されている。隔壁３は、凹所６０内に入れ込まれた後、凹所６０内に充填されるモルタルの硬化（モルタル充填層６７）により、前記第１実施形態同様、底壁部７６ａに対して一体化（接着、係合）することになっている。一方、魚道構成用ユニット７７は、図１４に示すように、基本的に、魚道構成用ユニット７６と同じ構成となっているが、その底壁部７７ａには、その延び方向両端部において位置決め用突部７９が一体的にそれぞれ設けられている。この突部７９は、前記魚道構成用ユニット７６の凹所７８に嵌合可能となっており、その位置決め用突部７９と位置決め用凹所７８との嵌合により、魚道構成用ブロック７６（７７）同士の幅方向の位置決めが適切に行われることになっている。このため、本実施形態においては、適切な幅方向の位置決めを行いつつ、魚道構成用ユニット７６，７７が順次、つながって、魚道１が構成されることになる。勿論この場合、位置決め用突部７９と位置決め用凹所７８との合わせ面に対して止水処理が行われる。
【００４４】
図１５に示す第９実施形態は、第８実施形態の変形例を示す。この第９実施形態に係る魚道構成用ユニット８０においては、底壁部８０ａの延び方向一端側に、その下部側から延び方向外側に向けて突出する突出部８１（第１突出部）が設けられている。この突出部８１は、底壁８０ａの幅方向全体に亘って形成されており、この底壁８０ａの延び方向一端側には、突出部８１の存在により、上方側に臨むようにして段部８３が形成されている。一方、底壁部８０ａの延び方向他端側には、その上部側から延び方向外側に向けて突出する突出部８２（第２突出部）が設けられている。この突出部８２は、底壁部８０ａの幅方向全体に亘って形成されており、底壁部８０ａの延び方向他端側には、下方側に臨むようにして段部８４が形成されている。
【００４５】
このような魚道構成用ユニット８０を順次、つなげて水路２を構成するに際しては、突出部８１の上に隣り合うことになる魚道構成用ブロック８０の突出部８２を載せ、その突出部８２の端面と段部８３における面との間で形成される合わせ面に対して、被覆層等をもって止水処理が行われる。この場合、合わせ面が、底壁部８０ａの厚み方向において、段部８３（８４）の形状に基づきジグザグ状に形成されることになるため、止水効果が高まることになる。
【００４６】
図１６、図１７は、前記第８実施形態（図１４）、前記第９実施形態（図１５）に係るユニットからそれぞれ側壁部４３を除いたものを示しており、その他の構成は同じとなっている。この図１６に示されるユニット７６（７７）、図１７に示されるユニット８０は、魚道構成用よりも、根固めブロックとしての用途を優先して構成されたものであり、この各ユニット７６（７７）、８０の各要素（各底壁部７６ａ（７７ａ，８０ａ）、隔壁３）は、型を用いて、一体成形されている。そして、施工面への敷設に際して、ユニット７６（７７）に関しては、前記凹所７８と突部７９との嵌合が利用され、、ユニット８０に関しては、突出部８１と８２との重ね合わせが利用されることになっている。尚、根固めブロックとして利用する際には、浮力等の影響を少なくするべく、底壁部７６ａ，７７ａ，８０ａに貫通孔を形成することが好ましい。
【００４７】
以上実施形態について説明したが本発明にあっては次のような態様を包含する。
（１）魚道構成用ブロック４１の底壁部４２にだけ凹所４５（６０）を設け、側壁部４３には凹所６２（６４）を設けないこと。
（２）第２〜第９実施形態において、魚道構成用ブロック４１に対する隔壁３の取付け構造として、凹所６０とモルタル充填層６７とを用いる場合に限らず、魚道構成用ブロック４１と共に隔壁３を一体成形するもの、凹所６０等を形成せずに通常の固定方法により隔壁３を魚道構成用ブロック４１に固定するものを含むこと。
（３）第８，第９実施形態の態様（凹所７８と突部７９との嵌合、突出部８１と８２との重ね合わせ）を、第１実施形態に係る流入側端部４４ａ（４５ａ）、流出側端部４４ｂ（４５ｂ）に適用すること。
（４）第８実施形態（図１４）において、魚道構成ユニット７６（７７）が、位置決め凹所７８（又は位置決め突部７９）だけをもつようにするのではなく、位置決め凹所７８と位置決め突部７９とを併せもつようにすること。
（５）第４実施形態（図１０）において、傾斜面７２を粗面に形成して摩擦力を大きくし、これにより、傾斜面７２を登りやすくすること。
（６）第３実施形態（図９）において、鋼板７１に換えて、木板、プラスチック板、コンクリート板等を用いること。
【００４８】
尚、本発明の目的は、明記されたものに限らず、実質的に好ましい或いは利点として載されたものに対応したものを提供することをも含むものである。
【図面の簡単な説明】
【００４９】
【図１】第１実施形態に係る魚道を示す説明図。
【図２】第１実施形態に係る魚道を示す平面図。
【図３】第１実施形態に係る魚道構成用ブロックを示す斜視図。
【図４】第１実施形態に係る連結ユニット付近を示す一部拡大平面図。
【図５】図４の５Ｂ−５Ｂ断面図。
【図６】図２の６Ｂ−６Ｂ線断面図。
【図７】図２の７Ｂ−７Ｂ線断面図。
【図８】第２実施形態を示す斜視図。
【図９】第３実施形態を示す斜視図。
【図１０】第４実施形態を示す斜視図。
【図１１】第５実施形態を示す斜視図。
【図１２】第６実施形態を示す斜視図。
【図１３】第７実施形態を示す斜視図。
【図１４】第８実施形態を説明する斜視図。
【図１５】第９実施形態を説明する斜視図。
【図１６】第８実施形態の変形例を示す説明図。
【図１７】第９実施形態の変形例を示す説明図。
【符号の説明】
【００５０】
１  魚道
２  水路
３  越流型隔壁ブロック
５  水路の側壁
８  底壁部の底面
９  下面
１２  略半円錐部
１２ｂ  側面下部
４１  魚道構成用ブロック
４２  底壁部
４３  側壁部
４４ａ  流入側端部（河川水流入側端部）
４４ｂ  流出側端部（河川水流出側端部）
４５ａ  凹所（第１隔壁下部用凹所）
４５ｂ  凹所（第２隔壁下部用凹所）
４６  連結ユニット
６１ａ  流入側端部（河川水流入側端部）
６１ｂ  流出側端部（河川水流出側端部）
６０  隔壁下部用凹所
６２ａ  凹所（第１隔壁端部用凹所）
６２ｂ  凹所（第２隔壁端部用凹所）
６４  隔壁端部用凹所
６８  合わせ面
７０  金網（遮蔽部材）
７１  鋼板（遮蔽部材）
７２  傾斜面（案内路）
７３  階段（案内路）
７４ａ  傾斜面（案内路）
７４ｂ  傾斜面（案内路）
７５ａ  階段（案内路）
７５ｂ  階段（案内路）
７８  位置決め用凹所
７９  位置決め用突部
８１  突出部（第１突出部）
８２  突出部（第２突出部）
【図１】
2005290789.tif 000003
【図２】
2005290789.tif 000004
【図３】
2005290789.tif 000005
【図４】
2005290789.tif 000006
【図５】
2005290789.tif 000007
【図６】
2005290789.tif 000008
【図７】
2005290789.tif 000009
【図８】
2005290789.tif 000010
【図９】
2005290789.tif 000011
【図１０】
2005290789.tif 000012
【図１１】
2005290789.tif 000013
【図１２】
2005290789.tif 000014
【図１３】
2005290789.tif 000015
【図１４】
2005290789.tif 000016
【図１５】
2005290789.tif 000017
【図１６】
2005290789.tif 000018
【図１７】
2005290789.tif 000019